(57)【要約】【課題】簡単な構成で、ディスクのずれの方向に関わらず、ディスクを自動的に正しく載置させることが可能なディスクローディング装置を提供する。【解決手段】トレイ２の上面には、ディスクが載置され位置決めされる、例えば円形の凹部２ａが設けられている。そして、凹部２ａの奥側略半分の周縁部２ａａは、手前側略半分の周縁部２ａｂより高くなっている。また周縁部２ａａに、略平板状の爪４ａが凹部２ａ中心へ向かって垂下するように傾斜して設けられている。一方、凹部２ａの手前側略半分の周縁部２ａｂには、略平板状の爪４ｂがこれも凹部２ａ中心へ向かって垂下するように傾斜して設けられている。そして、爪４ａは爪４ｂより高い位置となっている。【選択図】      図２
2004273065.tif 000002
【特許請求の範囲】
【請求項１】
ディスクを載置して筐体内に挿入し、挿入されたディスクを筐体から排出するトレイ部材を有し、該トレイ部材の移動速度或いは移動方向を変化させ、前記トレイ部材に載置されたディスクが該トレイ部材に対して相対的に移動可能な慣性力を発生するようにして成るディスクローディング装置において、
前記トレイ部材上面に設けられ、ディスクが載置される凹部は、その奥側周縁部の高さを手前側周縁部の高さより高くして成り、
前記凹部の前記奥側周縁部に設けられた爪の高さを、前記手前側周縁部に設けられた爪の高さより高くして成り、
前記爪各々は略平板状を成し、前記凹部中心へ向かって垂下するように傾斜して設けられていることを特徴とするディスクローディング装置。
【請求項２】
ディスクを載置して筐体内に挿入し、挿入されたディスクを筐体から排出するトレイ部材を有し、該トレイ部材の移動速度或いは移動方向を変化させ、前記トレイ部材に載置されたディスクが該トレイ部材に対して相対的に移動可能な慣性力を発生するようにして成るディスクローディング装置において、
前記トレイ部材上面に設けられ、ディスクが載置される凹部は、その奥側周縁部の高さを手前側周縁部の高さより高くして成ることを特徴とするディスクローディング装置。
【請求項３】
前記凹部の前記奥側周縁部に設けられた爪の高さを、前記手前側周縁部に設けられた爪の高さより高くして成ることを特徴とする請求項２に記載のディスクローディング装置。
【請求項４】
前記爪各々が前記凹部中心へ向かって垂下するように傾斜して設けられていることを特徴とする請求項３に記載のディスクローディング装置。
【請求項５】
前記爪各々は略平板状を成すことを特徴とする請求項４に記載のディスクローディング装置。
【発明の詳細な説明】
【０００１】
【発明の属する技術分野】
本発明は、ＣＤやＤＶＤ等のディスクを挿入及び排出するトレイを備えた、ディスクローディング装置に関するものである。
【０００２】
【従来の技術】
従来より、このようなディスクローディング装置においては、トレイによりディスクを本体に挿入し、また本体から排出することが行われている。ところが、特に、ディスクを挿入する場合、トレイにディスクが正しく載置されていないままトレイが本体へと引き込まれると、ディスクがディスク駆動部に正しくチャッキングされず、またディスクに傷が付く等の不具合が発生する恐れがある。
【０００３】
このような不具合を解消するため、ディスクプレーヤのトレイ駆動装置として、ディスクが載置部からずれて載置された状態でトレイをイジェクト位置からローディング位置へ移動する際に、かかるディスク載置ミスによるディスクの破損を防止すべく、ディスクを強制的にトレイの載置部に移動させるものが開示されている（例えば、特許文献１参照。）。
【０００４】
具体的には、トレイのイジェクト位置からローディング位置への移動期間中において、トレイの移動速度を変化させ、ディスクがトレイに対して相対的に移動可能な移動力を発生するよう駆動源を制御する制御手段を備えたものとしている。そして、この制御手段は、トレイのイジェクト位置からローディング位置への移動期間中において、トレイが一旦停止し、再度ローディング位置方向へトレイが移動するよう駆動源を制御するとしている。また、トレイのイジェクト位置からローディング位置への移動期間中において、トレイの移動方向を所要の時間反転し、再度ローディング位置方向へトレイが移動するよう駆動源を制御するとしている。
【０００５】
これによりディスクに加速度が加わり、ディスク載置部に正しく載置されていないディスクを自動的に正しく載置させることができるため、ユーザーが誤ってディスクを載置することによるディスクの破損を防止することが可能になるとしている。
【０００６】
【特許文献１】
特開平７−１４１７４３号公報
【０００７】
【発明が解決しようとする課題】
しかしながら、上記特許文献１に記載されているような構成では、主としてディスクがディスク載置部に対してトレイ前方（使用者から見て手前側）にずれて載置された場合を想定している。そして、このような方向にずれたディスクをディスク載置部に正しく載置させるために、トレイの移動を制御するものであって、例えばディスクがディスク載置部に対してトレイ後方（使用者から見て奥側）にずれて載置された場合は想定していない。
【０００８】
そのため、ディスクが奥側にずれて載置された状態で、上述したようなトレイの移動制御を行うと、更なる不具合が発生する恐れがある。つまり、奥側にずれて載置されたディスクは益々奥側へとずれ、甚だしい場合にはトレイから脱落する可能性がある。本発明は、このような問題点に鑑み、簡単な構成で、ディスクのずれの方向に関わらず、ディスクを自動的に正しく載置させることが可能なディスクローディング装置を提供することを目的とする。
【０００９】
【課題を解決するための手段】
上記目的を達成するために、本発明では、ディスクを載置して筐体内に挿入し、挿入されたディスクを筐体から排出するトレイ部材を有し、そのトレイ部材の移動速度或いは移動方向を変化させ、前記トレイ部材に載置されたディスクがそのトレイ部材に対して相対的に移動可能な慣性力を発生するようにして成るディスクローディング装置において、
前記トレイ部材上面に設けられ、ディスクが載置される凹部は、その奥側周縁部の高さを手前側周縁部の高さより高くして成ることを特徴とする。
【００１０】
また、前記凹部の前記奥側周縁部に設けられた爪の高さを、前記手前側周縁部に設けられた爪の高さより高くして成ることを特徴とする。また、前記爪各々が前記凹部中心へ向かって垂下するように傾斜して設けられていることを特徴とする。また、前記爪各々は略平板状を成すことを特徴とする。
【００１１】
【発明の実施の形態】
以下、本発明の実施の形態について、図面を参照しながら説明する。図１は、本発明のローディング装置におけるトレイ動作手順を模式的に示す側面図である。同図（ａ）〜（ｅ）はトレイイン開始から終了までの一連の動作を示している。なお、同図ではディスクがディスク載置部に対してトレイ前方（使用者から見て手前側）にずれて載置された場合を示しているが、これに限定されるものでは勿論ない。トレイ動作は以下のような手順で行う。手順の番号▲１▼〜▲５▼は、図１（ａ）〜（ｅ）にそれぞれ対応している。
【００１２】
▲１▼．筐体１からトレイ２がせり出した状態で、トレイ２上にディスク３が載置され、矢印Ａで示すようにトレイイン（挿入動作）を開始する。
▲２▼．途中までトレイ２が挿入されたら、トレイ２を急停止させる。
▲３▼．トレイ２を矢印Ｂで示すように所定の距離だけ急速に排出させる。
▲４▼．矢印Ｄで示すように、再度トレイインを開始する。
▲５▼．トレイ２及びディスク３が筐体１内に挿入され、トレイインを終了する。
【００１３】
なお、手順▲１▼に対応する同図（ａ）では、ディスク３はトレイ２前方（手前側）にずれて載置されている。また、手順▲３▼に対応する同図（ｃ）では、ディスク３が慣性力によりトレイ２に対して矢印Ｃで示すように後方（奥側）へとずれ、正しい載置位置となる。
【００１４】
以上のようにして、意図的にトレイ２を前後に揺することで、ディスク３がトレイ２に対して相対的に移動可能な慣性力を発生させ、ディスク３が正しい載置位置となるようにしている。これは、上記特許文献１における構成と同様である。但し、前記手順のうち、▲２▼〜▲４▼は複数回繰り返しても良く、これにより、より確実にディスク３を正しい載置位置に導くことができる。
【００１５】
さて、本発明では、上述したような前後に揺するトレイイン動作を行う構成に加えて、更に確実にディスクをトレイの正しい載置位置に導くことができるように、トレイの形状を工夫している。通常、トレイ上にはディスク載置部としての凹部が存在し、さらに、凹部の手前側及び奥側周縁部には、縦置き（垂直使用）用の爪が設けられている。
【００１６】
ここで、本発明では、凹部の奥側周縁部の高さを手前側周縁部の高さより高くしている。また、奥側周縁部に設けられた爪の高さを、手前側周縁部に設けられた爪の高さより高くしている。これにより、トレイの奥側へディスクが極端にずれるのを防止することができる。また、前後の爪の高さが異なるので、これらの爪同士の間隔が広くなり、ディスクが凹部に入りやすくなる。
【００１７】
さらに、例えば爪を略平板状とし、手前側の爪及び奥側の爪共、凹部中心へ向かって垂下するように傾斜させている。これにより、爪の上にディスクが載置された場合でも、爪上面の傾斜面を滑り落ちて凹部に入りやすくなり、また逆に、ディスクが凹部に入った後は、爪下面の傾斜面により規制されて、凹部より出にくくなる。これらの具体的な構成を以下に示す。
【００１８】
図２は、本発明のローディング装置の一実施形態に係るトレイの構成を模式的に示す側面縦断面図である。同図に示すように、トレイ２の上面には、ディスク３（ここでは不図示）が載置され位置決めされる、例えば円形の凹部２ａが設けられている。そして、凹部２ａの奥側略半分の周縁部２ａａは、手前側略半分の周縁部２ａｂより高くなっている。
【００１９】
また周縁部２ａａに、略平板状の爪４ａが凹部２ａ中心へ向かって垂下するように傾斜して設けられている。一方、凹部２ａの手前側略半分の周縁部２ａｂには、略平板状の爪４ｂがこれも凹部２ａ中心へ向かって垂下するように傾斜して設けられている。そして、爪４ａは爪４ｂより高い位置となっている。また図示しないが、爪４ａの更に奥側に、奥ずれ再発生防止用の壁面を設けてあれば尚良い。なお、同図では凹部中心を含む断面位置に各爪が設けられているように描いてあるが、これは勿論、周縁部に沿って紙面手前側或いは向こう側若しくはその両側にずらした位置に設けても良い。
【００２０】
図３は、本実施形態に係るトレイにディスクが載置された様子を模式的に示す側面縦断面図である。まず、同図（ａ）に示すように、爪４ａ及び４ｂの両方にディスク３が載置された場合は、上記トレイ動作手順の▲２▼及び▲３▼において、トレイ２の急停止及び急速な排出動作による慣性力により、ディスク３がトレイ２に対して奥側へとずれ、爪４ｂの上面を滑り落ちてディスク３の手前側のみ凹部２ａに填り込み、同図（ｂ）の状態となる。
【００２１】
そしてこの状態から、トレイ動作手順の▲４▼において、再度の挿入動作による慣性力により、ディスク３がトレイ２に対して手前側へとずれ、爪４ａの上面を滑り落ちてディスク３の奥側も凹部２ａに填り込み、同図（ｃ）のようにディスク３がトレイ２に正しく載置された状態となる。或いは、最初に同図（ｂ）のように載置された場合も同様にして同図（ｃ）の状態となる。
【００２２】
また、同図（ｄ）に示すように、ディスク３がトレイ２の手前側に載置された場合は、トレイ動作手順の▲２▼及び▲３▼において、上記慣性力によりディスク３がトレイ２に対して奥側へとずれ、爪４ｂの上面を滑り落ちて同図（ｃ）のようにディスク３がトレイ２に正しく載置された状態となる。その他、同図（ａ）の状態からトレイ動作手順の▲１▼において、挿入動作開始時の慣性力により同図（ｄ）の状態となる場合もある。この場合も同様にして同図（ｃ）の状態となる。
【００２３】
以上のようにして、ディスクがトレイの手前側及び奥側のいずれの側にずれて載置されたとしても、或いは爪上にディスクが載置されたとしても、本発明におけるトレイの構成と、ディスクを前後に揺するトレイイン動作とを組み合わせることにより、確実にディスクをトレイの正しい載置位置に導くことができる。
【００２４】
【発明の効果】
以上説明したように、本発明によれば、簡単な構成で、ディスクのずれの方向に関わらず、ディスクを自動的に正しく載置させることが可能なディスクローディング装置を提供することができる。
【００２５】
具体的には、トレイ凹部の奥側周縁部の高さを手前側周縁部の高さより高くしている。また、奥側周縁部に設けられた爪の高さを、手前側周縁部に設けられた爪の高さより高くしている。これにより、トレイの奥側へディスクが極端にずれるのを防止することができる。また、前後の爪の高さが異なるので、これらの爪同士の間隔が広くなり、ディスクが凹部に入りやすくなる。
【００２６】
さらに、爪を略平板状とし、手前側の爪及び奥側の爪共、凹部中心へ向かって垂下するように傾斜させている。これにより、爪の上にディスクが載置された場合でも、爪上面の傾斜面を滑り落ちて凹部に入りやすくなり、また逆に、ディスクが凹部に入った後は、爪下面の傾斜面により規制されて、凹部より出にくくなる。
【図面の簡単な説明】
【図１】本発明のローディング装置におけるトレイ動作手順を模式的に示す側面図。
【図２】本発明のローディング装置の一実施形態に係るトレイの構成を模式的に示す側面縦断面図。
【図３】本実施形態に係るトレイにディスクが載置された様子を模式的に示す側面縦断面図。
【符号の説明】
１    筐体
２    トレイ
２ａ    凹部
３    ディスク
４ａ，４ｂ    爪
【図１】
2004273065.tif 000003
【図２】
2004273065.tif 000004
【図３】
2004273065.tif 000005